(57)【要約】【課題】利用者によるＢＧＭ選択の手間を軽減する。【解決手段】撮影条件選択部は、撮影に関する撮影条件を選択し、表示制御部は、複数の楽曲のいずれかを、撮影空間において出力される楽曲として選択させるための選択画面を表示し、ＢＧＭ出力部は、選択画面に表示される複数の楽曲のうち、利用者によって選択された楽曲を出力する。なお、表示制御部は、選択画面に表示される複数の楽曲のうちの少なくとも１つを、選択された撮影条件に応じた楽曲に変更する。本発明は、例えば、写真シール作成装置に適用することができる。【選択図】図１１
2015121612.tif 000002
【特許請求の範囲】
【請求項１】
撮影空間において利用者を被写体として撮影し、得られた撮影画像に対して利用者に編集入力を行わせ、前記撮影画像を所定のシール紙に印刷する写真シール作成装置であって、
撮影に関する撮影条件を選択する選択手段と、
前記撮影空間において、選択された前記撮影条件に応じた楽曲を出力する出力手段と
を備える写真シール作成装置。
【請求項２】
複数の楽曲のいずれかを、前記撮影空間において出力される前記楽曲として選択させるための選択画面を表示する表示手段をさらに備え、
前記出力手段は、前記選択画面に表示される前記複数の楽曲のうち、前記利用者によって選択された楽曲を出力し、
前記表示手段は、前記選択画面に表示される前記複数の楽曲のうちの少なくとも１つを、選択された前記撮影条件に応じた前記楽曲に変更する
請求項１に記載の写真シール作成装置。
【請求項３】
前記表示手段は、前記選択画面に表示される前記複数の楽曲の全てを、選択された前記撮影条件に応じた前記楽曲に変更する
請求項２に記載の写真シール作成装置。
【請求項４】
前記選択手段は、前記利用者の指示に応じて、前記撮影条件を選択し、
前記表示手段は、前記撮影条件の選択に要した時間に応じて、前記選択画面において前記利用者に前記楽曲を選択させる時間を変更する
請求項２または３に記載の写真シール作成装置。
【請求項５】
前記選択手段は、前記撮影条件として、利用者の指示に応じて、前記撮影画像における被写体の背景に合成させる背景画像を分類するカテゴリ、および、選択された前記カテゴリに分類される前記背景画像のうちの少なくともいずれか１つを選択し、
前記表示手段は、前記選択画面に表示される前記複数の楽曲のうちの少なくとも１つを、選択された前記カテゴリまたは前記背景画像に応じた前記楽曲に変更する
請求項２乃至４のいずれかに記載の写真シール作成装置。
【請求項６】
前記選択手段は、前記撮影条件として、利用者の指示に応じて、前記撮影画像における被写体の背景に合成させる背景画像であって、所定のテーマで統一された複数の前記背景画像を１組のセットとするセット背景を分類するカテゴリ、および、選択された前記カテゴリに分類される前記セット背景のうちの少なくともいずれか１つを選択し、
前記表示手段は、前記選択画面に表示される前記複数の楽曲のうちの少なくとも１つを、選択された前記カテゴリまたは前記セット背景に応じた前記楽曲に変更する
請求項２乃至４のいずれかに記載の写真シール作成装置。
【請求項７】
前記表示手段は、前記選択画面に表示される前記複数の楽曲のうちの少なくとも１つを、選択された前記撮影条件と、撮影日とに応じた前記楽曲に変更する
請求項１に記載の写真シール作成装置。
【請求項８】
撮影空間において利用者を被写体として撮影し、得られた撮影画像に対して利用者に編集入力を行わせ、前記撮影画像を所定のシール紙に印刷する写真シール作成装置の撮影方法であって、
前記写真シール作成装置が、
撮影に関する撮影条件を選択し、
前記撮影空間において、選択された前記撮影条件に応じた楽曲を出力する
ステップを含む撮影方法。
【請求項９】
撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、
撮影に関する撮影条件を選択する選択ステップと、
前記撮影空間において、選択された前記撮影条件に応じた楽曲を出力する出力ステップと
を含む処理をコンピュータに実行させるプログラム。
【発明の詳細な説明】
【技術分野】
【０００１】
本発明は、写真シール作成装置、撮影方法、およびプログラムに関し、特に、利用者によるＢＧＭ選択の手間を軽減することができるようにする写真シール作成装置、撮影方法、およびプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷するという流れになる。
【０００４】
このような写真シール機の中には、撮影プレイ時に、撮影タイミングや撮影の案内情報を含む一連のアニメーション画像を撮影操作モニタに表示し、アニメーション画像と同期してＢＧＭ（Back Ground Music）やアナウンスをスピーカから出力するようにしたものがある（例えば、特許文献１参照）。
【０００５】
また近年は、撮影作業中に出力されるＢＧＭを、利用者に選択させるようにした写真シール機が知られており、利用者は、その時の気分に応じてＢＧＭを選択することで撮影を楽しむことができる。
【先行技術文献】
【特許文献】
【０００６】
【特許文献１】特開２００６−５８６７４号公報
【発明の概要】
【発明が解決しようとする課題】
【０００７】
しかしながら、ＢＧＭの選択肢が多くなってくると、利用者は、その時の気分に合ったＢＧＭを探すのに手間取り、ＢＧＭ選択に余計な時間を費やしてしまうおそれがあった。
【０００８】
本発明は、このような状況に鑑みてなされたものであり、利用者によるＢＧＭ選択の手間を軽減することができるようにするものである。
【課題を解決するための手段】
【０００９】
本発明の一側面の写真シール作成装置は、撮影空間において利用者を被写体として撮影し、得られた撮影画像に対して利用者に編集入力を行わせ、前記撮影画像を所定のシール紙に印刷する写真シール作成装置であって、撮影に関する撮影条件を選択する選択手段と、前記撮影空間において、選択された前記撮影条件に応じた楽曲を出力する出力手段とを備える。
【００１０】
複数の楽曲のいずれかを、前記撮影空間において出力される前記楽曲として選択させるための選択画面を表示する表示手段をさらに設け、前記出力手段には、前記選択画面に表示される前記複数の楽曲のうち、前記利用者によって選択された楽曲を出力させ、前記表示手段には、前記選択画面に表示される前記複数の楽曲のうちの少なくとも１つを、選択された前記撮影条件に応じた前記楽曲に変更させることができる。
【００１１】
前記表示手段には、前記選択画面に表示される前記複数の楽曲の全てを、選択された前記撮影条件に応じた前記楽曲に変更させることができる。
【００１２】
前記選択手段には、前記利用者の指示に応じて、前記撮影条件を選択させ、前記表示手段には、前記撮影条件の選択に要した時間に応じて、前記選択画面において前記利用者に前記楽曲を選択させる時間を変更させることができる。
【００１３】
前記選択手段には、前記撮影条件として、利用者の指示に応じて、前記撮影画像における被写体の背景に合成させる背景画像を分類するカテゴリ、および、選択された前記カテゴリに分類される前記背景画像のうちの少なくともいずれか１つを選択させ、前記表示手段には、前記選択画面に表示される前記複数の楽曲のうちの少なくとも１つを、選択された前記カテゴリまたは前記背景画像に応じた前記楽曲に変更させることができる。
【００１４】
前記選択手段には、前記撮影条件として、利用者の指示に応じて、前記撮影画像における被写体の背景に合成させる背景画像であって、所定のテーマで統一された複数の前記背景画像を１組のセットとするセット背景を分類するカテゴリ、および、選択された前記カテゴリに分類される前記セット背景のうちの少なくともいずれか１つを選択させ、前記表示手段には、前記選択画面に表示される前記複数の楽曲のうちの少なくとも１つを、選択された前記カテゴリまたは前記セット背景に応じた前記楽曲に変更させることができる。
【００１５】
前記表示手段には、前記選択画面に表示される前記複数の楽曲のうちの少なくとも１つを、選択された前記撮影条件と、撮影日とに応じた前記楽曲に変更させることができる。
【００１６】
本発明の一側面の撮影方法は、撮影空間において利用者を被写体として撮影し、得られた撮影画像に対して利用者に編集入力を行わせ、前記撮影画像を所定のシール紙に印刷する写真シール作成装置の撮影方法であって、前記写真シール作成装置が、撮影に関する撮影条件を選択し、前記撮影空間において、選択された前記撮影条件に応じた楽曲を出力するステップを含む。
【００１７】
本発明の一側面のプログラムは、撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、撮影に関する撮影条件を選択する選択ステップと、前記撮影空間において、選択された前記撮影条件に応じた楽曲を出力する出力ステップとを含む処理をコンピュータに実行させる。
【００１８】
本発明の一側面においては、撮影に関する撮影条件が選択され、撮影空間において、選択された撮影条件に応じた楽曲が出力される。
【発明の効果】
【００１９】
本発明によれば、利用者によるＢＧＭ選択の手間を軽減することが可能となる。
【図面の簡単な説明】
【００２０】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】事前接客部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】事前接客処理部の機能構成例を示すブロック図である。
【図１２】撮影処理部の機能構成例を示すブロック図である。
【図１３】写真シール作成ゲーム処理の流れの例を説明するフローチャートである。
【図１４】事前接客処理について説明するフローチャートである。
【図１５】セット背景選択画面の例を示す図である。
【図１６】ＢＧＭ選択画面の例を示す図である。
【図１７】ＢＧＭ選択画面の例を示す図である。
【図１８】撮影処理について説明するフローチャートである。
【図１９】撮影画面の例を示す図である。
【図２０】撮影画面の例を示す図である。
【発明を実施するための形態】
【００２１】
以下、本発明を適用した具体的な実施の形態について、図面を参照しながら詳細に説明する。
【００２２】
［写真シール作成装置の外観構成］
図１および図２は、写真シール作成装置１の外観の構成例を示す斜視図である。
【００２３】
写真シール作成装置１は、撮影画像や編集済み画像を提供するゲーム機である。画像の提供は、シール紙に印刷した形で行われることもあるし、サーバに送信した画像を利用者の携帯端末上で閲覧可能にする形で行われることもある。写真シール作成装置１は、アミューズメント施設などの施設や店舗に設置される。利用者は、主に女子高生や若い女性が中心とされる。利用者は１人であることもあるが、主に、１組あたり２人や３人等の複数人である。
【００２４】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済み画像が印刷されたシール紙を受け取って一連のゲームを終了させる。
【００２５】
図１に示すように、写真シール作成装置１は、基本的に、撮影ユニット１１と編集ユニット１２が接した状態で設置されることによって構成される。
【００２６】
撮影ユニット１１は、事前接客部２０、撮影部２１、および背景部２２から構成される。事前接客部２０は、撮影部２１の両側面に設置されており、それぞれの前方の空間が、事前接客処理を行う事前接客空間となる。また、撮影部２１と背景部２２は所定の距離だけ離れて設置され、撮影部２１と背景部２２の間に形成される空間が、撮影処理を行う撮影空間となる。
【００２７】
事前接客部２０は、写真シール作成装置１によって提供されるゲームを紹介するガイダンスを行ったり、撮影空間で行われる撮影処理における各種の設定を行ったりする事前接客処理を行う装置である。事前接客部２０には、利用者による代金を受け取る硬貨投入口、各種の操作に用いられるタブレット内蔵モニタやタッチペンが設けられる。事前接客部２０は、撮影空間の空き状況に応じて、適宜、事前接客空間にいる利用者を撮影空間へと案内する。
【００２８】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成され、さらに、正面が正面パネル４２により構成される。なお、側面パネル４１Ａ，４１Ｂそれぞれには、上述した事前接客部２０が設置される。
【００２９】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３０】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂ（図示せず）によって連結され、下部において連結部２３Ｂ’（図示せず）によって連結される。
【００３１】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３２】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテンを下ろす。
【００３３】
なお、クロマキー用のカーテンを予め撮影空間の背面となる背面パネル５１に張り付けるようにしてもよい。クロマキー用のカーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００３４】
撮影空間の上方には、撮影部２１の正面、連結部２３Ａ、連結部２３Ｂ、および背景カーテンユニット２５に囲まれた天井が形成され、その天井の一部として天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３５】
編集ユニット１２は、撮影画像の編集処理を行う装置である。編集ユニット１２は、一方の側面が撮影部２１の背面に接するように撮影ユニット１１に連結して設けられる。
【００３６】
図１および図２において見える編集ユニット１２の構成を正面側の構成とすると、２組の利用者が同時に編集を行うことができるように、編集ユニット１２の正面側と背面側には編集に用いられる構成がそれぞれ設けられる。
【００３７】
編集ユニット１２の正面側は、床面に対して垂直な面であり、撮影部２１の側面パネル４１Ａとほぼ平行な面である面６１と、面６１の上方に形成された斜面６２から構成される。斜面６２には、編集作業に用いられる構成として、タブレット内蔵モニタやタッチペンが設けられる。斜面６２の右側には、照明装置６４の一端を支持する柱状の支持部６３Ａが設けられる。斜面６２の左側にも、照明装置６４の他端を支持する柱状の支持部６３Ｂが設けられる。支持部６３Ａの上面にはカーテンレール２６を支持する支持部６５が設けられる。
【００３８】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００３９】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面後方の空間が、利用者が撮影画像の編集を行う編集空間となる。
【００４０】
また、後述するが、編集ユニット１２の右側面には、印刷済みのシール紙が排出される排出口が設けられる。編集ユニット１２の右側面前方の空間が、利用者が印刷済みのシール紙が排出されるのを待つ印刷待ち空間となる。
【００４１】
［利用者の移動について］
ここで、写真シール作成ゲームの流れと、それに伴う利用者の移動について説明する。図３は、写真シール作成装置１を上から見た平面図である。
【００４２】
まず、事前接客部２０の前方の空間である事前接客空間Ａ０−１または事前接客空間Ａ０−２において硬貨投入口に代金を投入した利用者は、タブレット内蔵モニタに表示される画面に従って各種の設定を、タッチペンを用いて行う。事前接客空間Ａ０−１，Ａ０−２においては、例えば、撮影空間で行われる撮影に関する条件の選択などが事前接客作業として行われる。
【００４３】
事前接客作業を終えた利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００４４】
なお、事前接客空間Ａ０−１と事前接客空間Ａ０−２のそれぞれにおいて、２組の利用者が同時に事前接客作業を行うことが可能であるが、先に事前接客作業を終えた利用者が、撮影空間Ａ１へと案内される。このとき、事前接客部２０は、事前接客作業を終えていない利用者に対して、撮影処理に関するガイダンスを行うなどして、先に撮影空間Ａ１に入った利用者が撮影を終えるまで待機させるようにする。
【００４５】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４６】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４７】
編集が終了した後、撮影画像や編集画像の印刷が開始される。画像の印刷が終了すると、編集空間Ａ２−１での編集を終えた利用者は、白抜き矢印＃５で示すように編集空間Ａ２−１から印刷待ち空間Ａ３に移動する。また、編集空間Ａ２−２での編集を終えた利用者は、白抜き矢印＃６で示すように編集空間Ａ２−２から印刷待ち空間Ａ３に移動する。
【００４８】
印刷待ち空間Ａ３に移動した利用者は、編集ユニット１２の右側面に設けられた排出口からシール紙を受け取り、一連の写真シール作成ゲームを終えることになる。
【００４９】
次に、各装置の構成について説明する。
【００５０】
［事前接客部の構成］
図４は、側面パネル４１Ａ（または側面パネル４１Ｂ）に設置される事前接客部２０の正面側の構成例を示す図である。
【００５１】
事前接客部２０の上方にはタブレット内蔵モニタ７１が設けられる。タブレット内蔵モニタ７１を挟んで左側にタッチペン７２Ａが設けられ、右側にタッチペン７２Ｂが設けられる。タブレット内蔵モニタ７１は、タッチペン７２Ａまたは７２Ｂを用いて操作入力が可能なタブレットがディスプレイを露出するように設けられることによって構成される。タブレット内蔵モニタ７１には、コース選択や背景選択などの事前接客処理に用いられる画面が表示される。２人の利用者が同時に事前接客作業を行う場合、タッチペン７２Ａはタブレット内蔵モニタ７１に向かって左側にいる利用者により用いられ、タッチペン７２Ｂはタブレット内蔵モニタ７１に向かって右側にいる利用者により用いられる。
【００５２】
タブレット内蔵モニタ７１の下には、事前接客処理の案内音声、ＢＧＭ（Back Ground Music）、効果音等の音を出力するスピーカ７３が設けられ、スピーカ７３の下には、利用者が硬貨を入れる硬貨投入返却口７４が設けられる。
【００５３】
［撮影部の構成］
図５は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５４】
正面パネル４２の中央には、カメラユニット８１が設けられる。カメラユニット８１は、カメラ９１、タッチパネルモニタ９２、および正面ストロボ９３から構成される。
【００５５】
カメラ９１は、例えば一眼レフカメラであり、レンズが露出するようにカメラユニット８１の内部に取り付けられる。カメラ９１はCCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。利用者により撮影が指示されたときなどの所定のタイミングでカメラ９１により取り込まれた静止画は、撮影画像として保存される。
【００５６】
カメラ９１の上に設けられた正面ストロボ９３は、乳白アクリル板よりなる横長楕円形の発光面１つと縦長楕円形の発光面２つを有する。正面ストロボ９３は、カメラ９１による撮影に合わせて発光することで、被写体としての利用者の顔付近を正面から照射する。
【００５７】
カメラユニット８１の下に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)を表示し、利用者の選択操作を受け付ける機能を備えている。タッチパネルモニタ９２には、カメラ９１により取り込まれた動画像（ライブビュー画像）や静止画像（撮影画像）が表示される。
【００５８】
カメラユニット８１の上方には、曲面の発光面を利用者に向けた上ストロボ８２が設置される。上ストロボ８２は、カメラ９１による撮影に合わせて発光することで、上方から利用者を照射する。
【００５９】
ベース部４３の中央には利用者の下半身および足元を照射する足元ストロボ８３が設けられる。
【００６０】
ベース部４３の上面には、足元ストロボ８３の上面を挟んでスペース８４Ａ，８４Ｂが左右に形成される。スペース８４Ａ，８４Ｂは、撮影を行う利用者が手荷物等を置くための荷物置き場として用いられる。図示はしないが、正面パネル４２の例えば天井付近には、撮影処理の案内音声、ＢＧＭ、効果音等の音を出力するスピーカも設けられる。
【００６１】
［背景部の構成］
図６は、背景部２２の撮影空間Ａ１側の構成例を示す図である。
【００６２】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６３】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００６４】
［編集ユニットの構成］
図７は、編集ユニット１２の正面側（編集空間Ａ２−１側）の構成例を示す図である。
【００６５】
斜面６２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６６】
タブレット内蔵モニタ１３１は、タッチペン１３２Ａまたはタッチペン１３２Ｂを用いて操作入力が可能なタブレットがディスプレイを露出するように設けられることによって構成される。タブレット内蔵モニタ１３１には、例えば撮影画像の編集に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６７】
図８は、編集ユニット１２の右側面の構成例を示す図である。
【００６８】
編集ユニット１２の右側面下方にはシール紙排出口１６１が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６１から排出される。
【００６９】
［写真シール作成装置の内部構成］
図９は、写真シール作成装置１の内部の構成例を示すブロック図である。図９において、上述した構成と同じ構成には同じ符号を付してあり、重複する説明については適宜省略する。
【００７０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前接客部２０８Ａ，２０８Ｂ、撮影部２０９、編集部２１０Ａ，２１０Ｂ、および印刷部２１１の各構成も接続される。
【００７１】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７２】
通信部２０３は、インターネットなどのネットワークのインタフェースであり、制御部２０１による制御に従って外部の装置と通信を行う。通信部２０３は、例えば撮影画像や編集済み画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７４】
ROM２０６には、制御部２０１において実行されるプログラムやデータが記憶されている。RAM２０７は、制御部２０１が処理するデータやプログラムを一時的に記憶する。
【００７５】
事前接客部２０８Ａは、事前接客空間Ａ０−１にいる利用者を対象とした事前接客処理を行う。事前接客部２０８Ａは、タブレット内蔵モニタ７１、タッチペン７２Ａ，７２Ｂ、スピーカ７３、および硬貨処理部２２１から構成される。事前接客部２０８Ｂは、事前接客部２０８Ａと同一の構成を有しており、事前接客空間Ａ０−２にいる利用者を対象とした事前接客処理を行う。なお、以下、事前接客部２０８Ａ，２０８Ｂを特に区別しない場合には、単に、事前接客部２０８という。
【００７６】
タブレット内蔵モニタ７１は、制御部２０１による制御に従って各種の選択画面を表示し、選択画面に対する利用者の操作を検出する。利用者の操作の内容を表す入力信号は制御部２０１に供給され、各種の選択処理が行われる。
【００７７】
硬貨処理部２２１は、硬貨投入返却口７４に対する硬貨の投入を検出する。硬貨処理部２２１は、例えば４００円などの所定の金額分の硬貨が投入されたことを検出した場合、そのことを表す起動信号を制御部２０１に出力する。
【００７８】
撮影部２０９は、撮影空間Ａ１にいる利用者を対象とした撮影処理を行う。撮影部２０９は、背景制御部２３１、照明装置２３２、カメラ９１、タッチパネルモニタ９２、およびスピーカ２３３から構成される。
【００７９】
背景制御部２３１は、制御部２０１から供給される背景制御信号に従って背景カーテンユニット２５による背景カーテンの上げ下ろしを制御する。
【００８０】
照明装置２３２は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ９３、上ストロボ８２、足元ストロボ８３、背景部２２の背面中央ストロボ１０１、背面右ストロボ１０２、および背面左ストロボ１０３が設けられる。
【００８１】
カメラ９１は、制御部２０１によるシャッタ制御に従って撮影を行い、撮影によって得られた画像（画像データ）を制御部２０１に出力する。
【００８２】
編集部２１０Ａは、編集空間Ａ２−１にいる利用者を対象とした編集処理を行う。編集部２１０Ａは、タブレット内蔵モニタ１３１、タッチペン１３２Ａ，１３２Ｂ、およびスピーカ２４１から構成される。編集部２１０Ｂは、編集部２１０Ａと同一の構成を有しており、編集空間Ａ２−２にいる利用者を対象とした編集処理を行う。なお、以下、編集部２１０Ａ，２１０Ｂを特に区別しない場合には、単に、編集部２１０という。
【００８３】
タブレット内蔵モニタ１３１は、制御部２０１による制御に従って編集画面を表示し、編集画面に対する利用者の操作を検出する。利用者の操作の内容を表す入力信号は制御部２０１に供給され、編集対象の撮影画像の編集が行われる。
【００８４】
印刷部２１１は、印刷待ち空間Ａ３にいる利用者に印刷済みのシール紙を提供する印刷処理を行う。印刷部２１１は、プリンタ２５１を含むように構成される。プリンタ２５１にはシール紙ユニット２５２が装着される。
【００８５】
プリンタ２５１は、制御部２０１から供給された印刷データに基づいて、撮影画像や編集済み画像をシール紙ユニット２５２に収納されているシール紙２６１に印刷し、シール紙排出口１６１に排出する。
【００８６】
［制御部の構成］
図１０は、制御部２０１の機能構成例を示すブロック図である。図１０に示す機能ブロックのうちの少なくとも一部は、制御部２０１内のCPUにより所定のプログラムが実行されることによって実現される。
【００８７】
制御部２０１においては、事前接客処理部３０１、撮影処理部３０２、編集処理部３０３、および印刷処理部３０４が実現される。
【００８８】
事前接客処理部３０１は、事前接客部２０８の各部を制御し、事前接客処理を行う。撮影処理部３０２は、撮影部２０９の各部を制御し、撮影処理を行う。編集処理部３０３は、編集部２１０の各部を制御し、編集処理を行う。印刷処理部３０４は、印刷部２１１のプリンタ２５１を制御し、印刷処理を行う。
【００８９】
［事前接客処理部の機能構成例］
次に、図１１を参照して、事前接客処理部３０１の機能構成例について説明する。
【００９０】
事前接客処理部３０１は、表示制御部３１１、入力受付部３１２、撮影条件選択部３１３、およびＢＧＭ選択部３１４から構成される。
【００９１】
表示制御部３１１は、事前接客部２０８におけるタブレット内蔵モニタ７１の表示を制御する。例えば、表示制御部３１１は、撮影に関する条件である撮影条件を選択させるための選択画面や、撮影空間において流れるＢＧＭとしての楽曲を選択させるための選択画面を、タブレット内蔵モニタ７１に表示させる。
【００９２】
入力受付部３１２は、タブレット内蔵モニタ７１に対する、利用者によるタッチペン７２Ａ，７２Ｂを用いた操作入力を受け付ける。例えば、入力受付部３１２は、タブレット内蔵モニタ７１に表示された各種の選択画面に対する選択の操作入力を受け付ける。
【００９３】
撮影条件選択部３１３は、撮影条件を選択させるための選択画面に対する入力受付部３１２の受け付け結果に基づいて撮影条件を選択したり、予め決められた、複数の撮影条件のうちのいずれかを選択し、確定する。
【００９４】
ここで、撮影条件には、撮影空間で行われる撮影によって得られる撮影画像において被写体の背景となる背景画像やその背景画像を分類するカテゴリ、撮影画像に対して施される画像処理や撮影時の照明制御等によって決まる被写体の写り等がある。
【００９５】
ＢＧＭ選択部３１４は、ＢＧＭを選択させるための選択画面に対する入力受付部３１２の受け付け結果に基づいてＢＧＭを選択したり、予め決められた、複数のＢＧＭのうちのいずれかを選択し、確定する。
【００９６】
［撮影処理部の機能構成例］
次に、図１２を参照して、撮影処理部３０２の機能構成例について説明する。
【００９７】
撮影処理部３０２は、表示制御部３２１、入力受付部３２２、撮影処理部３２３、目・明るさ選択部３２４、およびＢＧＭ出力部３２５から構成される。
【００９８】
表示制御部３２１は、撮影部２０９におけるタッチパネルモニタ９２の表示を制御する。
【００９９】
入力受付部３２２は、タッチパネルモニタ９２に対する、利用者による操作入力を受け付ける。
【０１００】
撮影制御部３２３は、カメラ９１を制御し、利用者を被写体として複数回の撮影を行い、複数枚の撮影画像を取得する。
【０１０１】
目・明るさ選択部３２４は、タッチパネルモニタ９２に対する、利用者による操作入力に基づいて、撮影画像における被写体（利用者）の目の大きさや肌の明るさを選択する。
【０１０２】
ＢＧＭ出力部３２５は、例えば記憶部２０２に保存されている種々の楽曲を再生する機能を有し、ＢＧＭ選択部３１４によって選択され確定された、撮影空間において流れるＢＧＭとしての楽曲を、スピーカ２３３から出力させる。
【０１０３】
［写真シール作成装置の動作］
ここで、図１３のフローチャートを参照して、写真シール作成ゲームを提供する写真シール作成装置１の動作について説明する。
【０１０４】
ステップＳ１において、事前接客処理部３０１は、所定の金額分の硬貨が投入されたか否かを硬貨処理部２２１から供給される起動信号に基づいて判定し、投入されたと判定するまで待機する。
【０１０５】
ステップＳ１において、硬貨が投入されたと判定された場合、ステップＳ２において、事前接客処理部３０１は、事前接客空間Ａ０−１と事前接客空間Ａ０−２のうち、硬貨の投入がなされた方の事前接客空間に対応する事前接客部２０８を制御し、上述した撮影条件の選択、さらには、撮影空間において流れるＢＧＭの選択などを利用者に行わせることで、各種の設定を行う事前接客処理を行う。
【０１０６】
ステップＳ３において、事前接客処理部３０１は、事前接客作業を行っている利用者が、撮影空間Ａ１へ移動可能であるか否かを判定する。具体的には、事前接客処理部３０１は、前の組の利用者の撮影作業の進行状況に基づいて、撮影空間Ａ１が使用中であるか否かを判定し、撮影空間Ａ１が使用中で、事前接客作業を行っている利用者の撮影空間Ａ１への移動が不可能であると判定した場合、処理はステップＳ２に戻り、例えば撮影処理に関するガイダンス等を行うことで、事前接客処理を継続して行う。
【０１０７】
そして、ステップＳ３において、撮影空間Ａ１が使用中でなく、撮影空間Ａ１へ移動可能であると判定された場合、処理はステップＳ４に進み、事前接客処理部３０１は、事前接客空間Ａ０−１または事前接客空間Ａ０−２にいる利用者に対して、撮影空間Ａ１への移動を案内する。撮影空間Ａ１への移動の案内は、事前接客部２０８のタブレット内蔵モニタ７１に案内画面を表示させることによって、または音声をスピーカ７３から出力させることによって行われる。
【０１０８】
ステップＳ５において、撮影処理部３０２は、撮影部２０９を制御し、カメラ９１に取り込まれた被写体の動画像をタッチパネルモニタ９２にライブビュー表示させ、撮影空間Ａ１にいる利用者を被写体として撮影し、撮影画像を取得する撮影処理を行う。
【０１０９】
撮影処理においては、例えば７回の撮影が行われ、撮影結果として７枚の撮影画像が得られる。もちろん、撮影が行われる回数は７回に限られない。
【０１１０】
ステップＳ６において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０９のタッチパネルモニタ９２に案内画面を表示させることによって、または音声をスピーカ２３３から出力させることによって行われる。
【０１１１】
ステップＳ７において、編集処理部３０３は、編集空間Ａ２−１と編集空間Ａ２−２のうち、撮影処理を終えた利用者の移動先とした方の編集空間に対応する編集部２１０を制御し、撮影処理により得られた撮影画像に対して利用者に落書き編集を行わせ、落書き編集が施された編集済み画像を生成する編集処理を行う。編集処理においては、シール紙に印刷される編集済み画像や撮影画像の配置や、シール紙において編集済み画像や撮影画像が配置される領域以外の領域のデザイン（色や図柄を含む）を表すシールレイアウトも、利用者の選択によって決定される。
【０１１２】
なお、編集済み画像や撮影画像は、外部のサーバを介して、利用者の所有する携帯電話機等の携帯端末に送信される。そこで、編集処理においては、携帯端末が、サーバにアクセスするのに必要なURLが記載されたメールを受信するために必要な、携帯端末のメールアドレスを、利用者に入力させるようにする。
【０１１３】
これにより、サーバは、利用者により入力されたメールアドレス宛てに、携帯端末がサーバにアクセスするのに必要なURLが記載されたメールを送信する。そして、そのURLに基づいて、利用者が所有する携帯端末が、インターネットなどのネットワークを介して、サーバにアクセスすることで、サーバに送信された編集済み画像や撮影画像が携帯端末に提供される。
【０１１４】
ステップＳ８において、印刷処理部３０４は、撮影処理により得られた撮影画像、または編集処理により得られた編集済み画像を、印刷画像としてプリンタ２５１に出力してシール紙に印刷する印刷処理を行う（開始する）。
【０１１５】
印刷が終了すると、ステップＳ９において、プリンタ２５１は、画像が印刷されたシール紙をシール紙排出口１６１に排出し、処理を終了させる。このとき、編集処理部３０３は、編集空間Ａ２−１または編集空間Ａ２−２で編集処理を終えた利用者に対して、印刷が終了した旨をタブレット内蔵モニタ１３１に表示させることで、印刷待ち空間Ａ３への移動を案内する。印刷待ち空間Ａ３への移動の案内は、音声をスピーカ２４１から出力させることによって行われるようにしてもよい。
【０１１６】
［事前接客処理の流れ］
次に、図１４のフローチャートを参照して、上述した写真シール作成ゲームの一連の処理におけるステップＳ２の事前接客処理の流れを説明する。
【０１１７】
事前接客処理が開始されると、事前接客処理部３０１は、タブレット内蔵モニタ７１やスピーカ７３等を制御して、写真シール作成ゲームの流れを案内する画像や音声を出力することにより、利用者に対して写真シール作成ゲームのガイダンスを行う。
【０１１８】
そして、ステップＳ３１において、表示制御部３１１が、背景コース選択画面をタブレット内蔵モニタ７１に表示させ、入力受付部３１２が、タッチペン７２Ａ，７２Ｂを用いた利用者からの指示を受け付けることで、利用者に、背景コースを選択させる。撮影条件選択部３１３は、入力受付部３１２の受け付け結果に基づいて、撮影条件の１つとして、複数の背景コースのうちのいずれか１つを選択する。背景コース選択画面は、撮影画像に合成される背景画像のタイプを決定する背景コースの選択に用いられる画面である。背景コースには、例えば、背景画像のタイプとして、背景画像が合成された撮影画像が、楽しく愉快な雰囲気の仕上がりとなる背景画像が提供される「エンジョイショット」コースと、背景画像が合成された撮影画像が、落ち着いたやや大人っぽい雰囲気の仕上がりとなる背景画像が提供される「キレイショット」コースとがある。
【０１１９】
ステップＳ３２において、表示制御部３１１が、写りコース選択画面をタブレット内蔵モニタ７１に表示させ、入力受付部３１２が、タッチペン７２Ａ，７２Ｂを用いた利用者からの指示を受け付けることで、利用者に、写りコースを選択させる。撮影条件選択部３１３は、入力受付部３１２の受け付け結果に基づいて、撮影条件の１つとして、複数の写りコースのうちのいずれかを選択する。写りコース選択画面は、撮影画像における被写体の写りを決定する写りコースの選択に用いられる画面である。
【０１２０】
ステップＳ３３において、表示制御部３１１が、名前入力画面をタブレット内蔵モニタ７１に表示させ、入力受付部３１２が、タッチペン７２Ａ，７２Ｂを用いた利用者からの指示を受け付けることで、利用者それぞれの名前を入力させる。名前入力画面は、利用者による名前の入力に用いられる画面である。
【０１２１】
ステップＳ３４において、表示制御部３１１が、セット背景選択画面をタブレット内蔵モニタ７１に表示させ、入力受付部３１２が、タッチペン７２Ａ，７２Ｂを用いた利用者からの指示を受け付けることで、利用者に、セット背景を選択させる。撮影条件選択部３１３は、入力受付部３１２の受け付け結果に基づいて、撮影条件の１つとして、複数のセット背景のうちのいずれか１つを選択する。
【０１２２】
なお、セット背景は、所定のテーマで統一された複数の背景画像を１組のセットとして構成される。
【０１２３】
図１５は、セット背景の選択の際に表示されるセット背景選択画面の例を示す図である。
【０１２４】
図１５に示されるように、セット背景選択画面４１１には、セット背景が、「おすすめ」、「カラー」、「デザイン」、「イベント」といったカテゴリ毎のボタン４２１乃至４２４によって切り替えて表示されるようになされており、図１５の例では、「おすすめ」ボタン４２１が選択されている。「おすすめ」ボタン４２１が選択されているセット背景選択画面４１１には、６つのセット背景４３１乃至４３６がそれぞれのテーマ毎に表示されている。
【０１２５】
また、図示はしないが、例えば「イベント」ボタン４２４が選択された場合のセット背景選択画面４１１には、季節に応じたイベントや、誕生日などの記念日をテーマとしたセット背景が表示されるようになる。
【０１２６】
なお、「おすすめ」、「カラー」、「デザイン」、「イベント」といったセット背景の各カテゴリは、ボタン４２１乃至４２４による表示に限らず、タブやラジオボタン等のウィジェット（GUIの部品）によって切り替えて表示されるようにしてもよい。
【０１２７】
図１４のフローチャートに戻り、ステップＳ３５において、表示制御部３１１が、コラージュ撮影コース選択画面をタブレット内蔵モニタ７１に表示させ、入力受付部３１２が、タッチペン７２Ａ，７２Ｂを用いた利用者からの指示を受け付けることで、利用者に、コラージュ撮影の撮影コースを選択させる。撮影条件選択部３１３は、入力受付部３１２の受け付け結果に基づいて、撮影条件の１つとして、複数のコラージュ撮影の撮影コースのうちのいずれか１つを選択する。
【０１２８】
コラージュ撮影とは、撮影処理において行われる７回の撮影のうちの７回目の撮影であり、この撮影により得られる７枚目の撮影画像を、１回目から６回目の撮影により得られた６枚の撮影画像のうちの所定枚数の撮影画像とともに、所定のデザインが施されたデザイン画像上に配置されてなるコラージュ撮影画像を得るための撮影とされる。そして、コラージュ撮影コース選択画面は、コラージュ撮影画像に対してフィルタ加工（画像の明るさや透明感、色調を変更する処理）を施すか否かを決定するコース選択に用いられる画面である。
【０１２９】
ステップＳ３６において、表示制御部３１１が、ＢＧＭ選択画面をタブレット内蔵モニタ７１に表示させ、入力受付部３１２が、タッチペン７２Ａ，７２Ｂを用いた利用者からの指示を受け付けることで、利用者に、撮影空間において流れるＢＧＭを選択させる。ＢＧＭ選択部３１４は、入力受付部３１２の受け付け結果に基づいて、撮影空間において流れるＢＧＭを選択する。
【０１３０】
図１６は、撮影空間において流れるＢＧＭとしての楽曲の選択の際に表示されるＢＧＭ選択画面の例を示す図である。
【０１３１】
図１６に示されるように、ＢＧＭ選択画面４６１には、その右側の領域に、ＢＧＭとしての楽曲の候補である５つの楽曲を表す楽曲ボタン４７１−１乃至４７１−５が設けられている。楽曲ボタン４７１−１乃至４７１−５のうちのいずれかが選択されると、選択された楽曲ボタンに対応する楽曲（楽曲名）が、楽曲ボタン４７１−１乃至４７１−５の左側の領域に大きく設けられてる、レコード盤を模した選択楽曲表示部４７２に表示される。このとき、ＢＧＭ選択部３１４は、事前接客部２０８のスピーカ７３を介して、選択されている楽曲ボタンに対応する楽曲を出力する。
【０１３２】
具体的には、楽曲ボタン４７１−１が選択されると、対応する楽曲「Approach」の楽曲名が選択楽曲表示部４７２に表示されるとともに、楽曲「Approach」がスピーカ７３から出力される。楽曲ボタン４７１−２が選択されると、対応する楽曲「Rear」の楽曲名が選択楽曲表示部４７２に表示されるとともに、楽曲「Rear」がスピーカ７３から出力される。
【０１３３】
また、楽曲ボタン４７１−３が選択されると、対応する楽曲「Best Song Never」の楽曲名が選択楽曲表示部４７２に表示されるとともに、楽曲「Best Song Never」がスピーカ７３から出力される。楽曲ボタン４７１−４が選択されると、対応する楽曲「HARD BEAT」の楽曲名が選択楽曲表示部４７２に表示されるとともに、楽曲「HARD BEAT」がスピーカ７３から出力される。
【０１３４】
そして、楽曲ボタン４７１−５が選択されると、対応する楽曲「バレンタイン・キッズ」の楽曲名が選択楽曲表示部４７２に表示されるとともに、楽曲「バレンタイン・キッズ」がスピーカ７３から出力される。
【０１３５】
なお、楽曲ボタン４７１−５に対応する楽曲は、そのときの季節に応じた季節限定の楽曲とされる。例えば、楽曲ボタン４７１−５に対応する楽曲として、２月１５日から５月３１日までの間は、春をテーマにした楽曲が用意され、６月１日から９月３０日までの間は、夏をテーマにした楽曲が用意される。また、１０月１日から１１月３０日までの間は、ハロウィンをテーマにした楽曲が用意され、１２月１日から１２月２５日までの間は、クリスマスをテーマにした楽曲が用意される。そして、１２月２６日から１月１４日までの間は、お正月をテーマにした楽曲が用意され、１月１５日から２月１４日までの間は、バレンタインデーをテーマにした楽曲が用意される。
【０１３６】
なお、図１６は、最初にＢＧＭ選択画面４６１が表示されたときのデフォルトの状態を示しており、この状態では、楽曲ボタン４７１−１が選択され、その楽曲ボタン４７１−１に対応する楽曲名「Approach」が選択楽曲表示部４７２に表示される。また、スピーカ７３からは、楽曲名が「Approach」である楽曲が出力される。
【０１３７】
特に、デフォルトの状態でのＢＧＭ選択画面４６１においては、楽曲ボタン４７１−１が選択されていることがわかるように、楽曲ボタン４７１−１が他の楽曲ボタンとは異なる色で表示されるようにすることで、利用者に対して、どの楽曲が選択され出力されているのかを認識させるとともに、他の楽曲ボタンを選択することで、他の楽曲が出力されることを認識させることができる。
【０１３８】
また、ＢＧＭ選択画面４６１には、その左下側の領域に、スピーカ７３から出力される楽曲の音量を調整するための音量調整ボタン４７３と、スピーカ７３から出力される楽曲の音量の程度を表す音量インジケータ４７４が設けられている。
【０１３９】
さらに、ＢＧＭ選択画面４６１において、選択楽曲表示部４７２の下側の領域に、選択楽曲表示部４７２に表示されている楽曲を、撮影空間において流れるＢＧＭに決定するためのＯＫボタン４７５が設けられている。
【０１４０】
すなわち、利用者は、楽曲ボタン４７１−１乃至４７１−５のうちのいずれかを選択し、スピーカ７３から出力される、選択された楽曲ボタンに対応する楽曲を試聴して、ＯＫボタン４７５を押下することで、その楽曲を撮影空間において流れるＢＧＭに決定することができる。なお、予め設定された時間内であれば（ＢＧＭ選択画面４６１の左上に表示されるカウントダウンインジケータが０になるまでは）、ＯＫボタン４７５を押下するまで、楽曲ボタン４７１−１乃至４７１−５のうちのいずれかを繰り返し選択することで、それぞれの楽曲ボタンに対応する楽曲を試聴することができる。
【０１４１】
このようにして、ＢＧＭ選択画面４６１において、楽曲ボタン４７１−１乃至４７１−５のうちのいずれかが選択され、ＯＫボタン４７５が押下されると、処理は図１３のステップＳ２に戻り、それ以降の処理が行われる。
【０１４２】
ところで、ＢＧＭ選択画面４６１において、楽曲ボタン４７１−１乃至４７１−５のうちの少なくともいずれか１つは、撮影条件選択部３１３により選択された撮影条件に応じた楽曲に対応した楽曲ボタンに変更されるようになされている。
【０１４３】
具体的には、楽曲ボタン４７１−１乃至４７１−５のうちの楽曲ボタン４７１−４に対応する楽曲が、撮影条件の１つであるセット背景に応じた楽曲に変更されるようになる。
【０１４４】
例えば、「イベント」ボタン４２４が選択された場合のセット背景選択画面４１１において、誕生日をテーマとしたセット背景が選択されている場合、図１７に示されるように、楽曲ボタン４７１−４に対応する楽曲が、撮影条件の１つであるセット背景（セット背景のテーマ）、すなわち、誕生日に応じた楽曲「ハッピーバースデートゥーユー」に変更される。
【０１４５】
なお、撮影条件に応じて変更される楽曲は、楽曲ボタン４７１−１乃至４７１−５のうちの楽曲ボタン４７１−４に対応する楽曲１つに限らず、複数の楽曲であってもよいし、全ての楽曲であってもよい。
【０１４６】
さらに、撮影条件に応じて変更される楽曲は、セット背景選択画面４１１において選択されたカテゴリ毎のボタン４２１乃至４２４に応じた楽曲であってもよい。具体的には、セット背景選択画面４１１において「イベント」ボタン４２４が選択されている場合には、楽曲ボタン４７１−１乃至４７１−５に対応する楽曲のうちの少なくとも１つが、その撮影日が含まれる季節に沿った楽曲に変更されるようにしてもよい。例えば、撮影日が１２月２０日であれば、セット背景選択画面４１１において「イベント」ボタン４２４が選択されることで表示されるセット背景のいずれが選択されたかによらず、楽曲ボタン４７１−１乃至４７１−５のうちの少なくとも１つが、クリスマスをテーマにした楽曲に変更されるようにする。
【０１４７】
以上のようにして、ＢＧＭ選択画面４６１において、楽曲ボタン４７１−１乃至４７１−５に対応する楽曲のうちの少なくとも１つが、撮影条件の１つであるセット背景のテーマやカテゴリに応じた楽曲に変更される。すなわち、利用者がその時の気分によって選択した撮影条件（セット背景）に応じた楽曲が、撮影空間に流れるＢＧＭの選択肢として提示されるようになる。したがって、利用者は、その時の気分に合ったＢＧＭを探すのに手間取ることもなく、利用者によるＢＧＭ選択の手間を軽減することが可能となる。
【０１４８】
なお、以上においては、撮影条件の１つとしてセット背景が選択されるものとしたが、６枚の撮影画像それぞれに合成される背景画像が個別に選択されるようにしてもよい。この場合、ＢＧＭ選択画面４６１において、楽曲ボタン４７１−１乃至４７１−５に対応する楽曲のうちの少なくとも１つが、背景画像のカテゴリに応じた楽曲に変更されたり、選択された６枚の背景画像において、最も多く含まれる色（具体的には、色相や輝度、彩度など）に応じた楽曲に変更されるようにしてもよい。
【０１４９】
例えば、選択された６枚の背景画像において、その色として原色が多く使われている場合には、楽曲ボタン４７１−１乃至４７１−５に対応する楽曲の少なくともいずれか１つが、アップテンポの楽曲に変更されたり、多く使われている色を含むタイトル（楽曲名）の楽曲に変更されたりする。
【０１５０】
また、上述した背景画像の中には、撮影画像における被写体の背景に合成される画像に加え、被写体の前景に合成されるスタンプ画像やフレーム画像といった前景画像を含むものがある。
【０１５１】
そこで、ＢＧＭ選択画面４６１において、楽曲ボタン４７１−１乃至４７１−５に対応する楽曲のうちの少なくとも１つが、選択された背景画像に含まれる前景画像のデザインや雰囲気に応じた楽曲に変更されるようにしてもよい。
【０１５２】
また、以上においては、楽曲ボタン４７１−１乃至４７１−５に対応する楽曲のうちの少なくともいずれか１つが、撮影条件としてのセット背景や背景画像に応じた楽曲に変更されるものとしたが、他の撮影条件である背景コースや写りコース、コラージュ撮影の撮影コースに応じた楽曲に変更されるようにしてもよいし、これらの撮影条件のうちの少なくとも２つの組み合わせに応じた楽曲に変更されるようにしてもよい。
【０１５３】
例えば、背景コースとして「エンジョイショット」コースが選択されている場合、撮影処理においては、撮影画像の仕上がりが楽しく愉快な雰囲気となる背景画像が合成されることになるので、楽曲ボタン４７１−１乃至４７１−５に対応する楽曲のうちの少なくともいずれか１つが、その雰囲気に合ったアップテンポの楽曲に変更されるようにする。
【０１５４】
また、ＢＧＭ選択画面４６１に表示される楽曲ボタン４７１−１乃至４７１−５に対応する楽曲それぞれが選択された回数を記憶部２０２に記憶するようにし、選択された回数が多い楽曲の上位５曲を、その順番に、楽曲ボタン４７１−１乃至４７１−５に対応する楽曲とするようにしてもよいし、選択された回数が多い楽曲の例えば上位２曲のみを、楽曲ボタン４７１−１，４７１−２に対応する楽曲としてもよい。
【０１５５】
さらに、ＢＧＭ選択画面４６１に表示される楽曲ボタン４７１−１乃至４７１−５に対応する楽曲として、日毎、週毎、または月毎の音楽ヒットチャートの上位５曲を適用するようにしてもよい。
【０１５６】
なお、上述した事前接客処理においては、背景コースの選択（ステップＳ３１）、写りコースの選択（ステップＳ３２）、名前の入力（ステップＳ３３）、セット背景の選択（ステップＳ３４）、コラージュ撮影の撮影コースの選択（ステップＳ３５）、およびＢＧＭの選択（ステップＳ３６）の各ステップにおける作業の最大許容時間は予め決められているが、ステップＳ３１乃至ステップＳ３５における各作業に要した時間に応じて、ステップＳ３６において利用者にＢＧＭを選択させる時間を変更するようにしてもよい。
【０１５７】
具体的には、ステップＳ３１乃至ステップＳ３５の各作業に要した時間が、それぞれの最大許容時間より短かった場合には、各ステップにおいて余った時間をステップＳ３６の処理に振り分け、利用者にＢＧＭを選択させる時間を延長させるようにする。
【０１５８】
このとき、ＢＧＭ選択画面４６１には、「時間内なら何回でもＢＧＭを選択できるよ！」などといったメッセージを表示させることで、利用者にＢＧＭをよく吟味することを促すようにしてもよいし、ＯＫボタン４７５が押下された時点で残り時間に余裕がある場合には、「選んだＢＧＭでホントにいいの？」などといったメッセージを表示させることで、利用者に選択したＢＧＭを確定させて良いか否かを確認させるようにしてもよい。
【０１５９】
これにより、利用者は、余裕をもって、また確実に、所望のＢＧＭを選択することができるようになる。
【０１６０】
なお、ステップＳ３１乃至ステップＳ３５の各作業に要した時間が、それぞれの最大許容時間より短かった場合であっても、ステップＳ３６における作業の最大許容時間を変更させないことで、写真シール作成ゲームの回転率を向上させるようにしてもよい。
【０１６１】
また、上述した事前接客処理において、背景コース、写りコース、セット背景、コラージュ撮影の撮影コースといった撮影条件の選択の各ステップにおいて、最大許容時間内に、利用者によって撮影条件が選択されなかった場合（タイムアウトになった場合）、複数の撮影条件のうちの予め決められた１つが、撮影条件として選択されるようにする。同様に、ＢＧＭの選択のステップにおいて、タイムアウトになった場合も、複数の楽曲のうちの予め決められた１つが、ＢＧＭとして選択されるようにする。
【０１６２】
なお、上述した事前接客処理において、ＢＧＭの選択をその最後に行わせることで、続く撮影処理において流れるＢＧＭが、利用者自身が選択した楽曲であることを、利用者に忘れさせないようにすることができる。
【０１６３】
［撮影処理の流れ］
次に、図１８のフローチャートを参照して、上述した写真シール作成ゲームの一連の処理におけるステップＳ５の撮影処理の流れを説明する。
【０１６４】
撮影処理が開始されると、撮影処理部３０２の表示制御部３２１が、「タッチしてね！」などといったメッセージをタッチパネルモニタ９２に表示させ、入力受付部３２２が、利用者からの指示を受け付けることで、ステップＳ５１において、ＢＧＭ出力部３２５は、スピーカ２３３を介して、事前接客処理において利用者により選択されたＢＧＭ（楽曲）の出力を開始する。このとき、タッチパネルモニタ９２には、利用者により選択された楽曲、すなわち、スピーカ２３３から出力される楽曲の楽曲名が表示されるようにする。
【０１６５】
ここで、出力される楽曲の再生開始箇所は、楽曲の中で最も盛り上がり、かつよく知られている部分であるサビの部分とする。
【０１６６】
なお、タッチパネルモニタ９２に対する利用者の操作によってＢＧＭの出力が開始されるのではなく、利用者の撮影空間への移動を検知してから所定の時間が経過したことによってＢＧＭの出力が開始されるようにしてもよい。
【０１６７】
続いて、撮影処理部３０２は、タッチパネルモニタ９２やスピーカ２３３等を制御して、まっすぐ立っている利用者の顔および上半身がそのまままっすぐ写る画像を撮影するアップ撮影のガイダンスを行った後、ステップＳ５２において、アップ撮影を行う。
【０１６８】
具体的には、撮影制御部３２３は、カメラ９１を制御し、利用者の頭の上から腰付近までの範囲が写った画像の取り込みを開始させ、カメラ９１により取り込まれた動画像（ライブビュー画像）をタッチパネルモニタ９２に表示させる（ライブビュー表示を行う）。次に、表示制御部３２１は、タッチパネルモニタ９２にカウントダウンインジケータを表示し、撮影タイミングを利用者に通知する。そして、撮影タイミングになったとき、撮影制御部３２３は、カメラ９１を制御して撮影を行い、まっすぐ立っている利用者の顔および上半身がそのまままっすぐ写った静止画像であるアップ撮影画像を取得する。取得されたアップ撮影画像は、撮影結果としてタッチパネルモニタ９２に表示される。
【０１６９】
ステップＳ５２においてアップ撮影が２回行われると、撮影処理部３０２は、タッチパネルモニタ９２やスピーカ２３３等を制御して、まっすぐ立っている利用者の顔および上半身が左右のどちらかに傾いて写る画像を撮影するななめ撮影のガイダンスを行った後、ステップＳ５３において、ななめ撮影を行う。
【０１７０】
ななめ撮影の詳細については、基本的にはアップ撮影と同様であるので、その説明は省略するが、ななめ撮影によって、まっすぐ立っている利用者の顔および上半身が左右のどちらかに傾いて写った静止画像であるななめ撮影画像が取得される。
【０１７１】
ステップＳ５３においてななめ撮影が２回行われると、撮影処理部３０２は、タッチパネルモニタ９２やスピーカ２３３等を制御して、まっすぐ立っている利用者の全身が写る画像を撮影する全身撮影のガイダンスを行った後、ステップＳ５４において、全身撮影を行う。
【０１７２】
全身撮影の詳細についてもまた、基本的にはアップ撮影と同様であるので、その説明は省略するが、全身撮影によって、まっすぐ立っている利用者の全身が写った静止画像である全身撮影画像が取得される。
【０１７３】
このようにして、７回行われる撮影のうちの１回目乃至６回目の撮影が行われる。なお、この間も、スピーカ２３３を介して、事前接客処理において選択された楽曲がＢＧＭとして出力されている。
【０１７４】
ここで、図１９を参照して、１回目乃至６回目の撮影の際にタッチパネルモニタ９２に表示される撮影画面の例について説明する。
【０１７５】
図１９に示されるように、撮影画面５１１の下側の領域には、事前接客処理において選択されたセット背景に含まれる６枚の背景画像それぞれに、モデルを被写体として撮影された６枚のモデル画像それぞれが合成された６枚のサンプル画像５２１−１乃至５２１−６が表示されている。図１９の例では、事前接客処理において選択されたセット背景４３１を構成する６枚の背景画像が、サンプル画像５２１−１乃至５２１−６にそれぞれ合成されて表示されている。
【０１７６】
サンプル画像５２１−１乃至５２１−６それぞれに合成されている背景画像は、１回目乃至６回目の撮影により得られる撮影画像のそれぞれに合成される。すなわち、例えば、サンプル画像５２１−１に合成されている背景画像は１回目の撮影により得られるアップ撮影画像に合成され、サンプル画像５２１−３に合成されている背景画像は３回目の撮影により得られるななめ撮影画像に合成され、サンプル画像５２１−５に合成されている背景画像は５回目の撮影により得られる全身撮影画像に合成される。
【０１７７】
撮影画面５１１においては、ｎ（ｎは１乃至６の整数）回目の撮影が行われるときに、サンプル画像５２１−ｎが大きく表示されるとともに、撮影画面５１１の略中央に表示されるライブビュー画像表示領域５２２には、サンプル画像５２１−ｎに合成されている背景画像に、カメラ９１により取り込まれたライブビュー画像が表示される。
【０１７８】
図１９の例では、サンプル画像５２１−１が大きく表示され、ライブビュー画像表示領域５２２にはサンプル画像５２１−１に合成されている背景画像５３１−１に、ライブビュー画像（被写体は図示せず）が合成されて表示されている。すなわち、図１９は、１回目の撮影が行われる際の撮影画面５１１の例を示している。なお、撮影画面５１１におけるライブビュー画像表示領域５２２の右側には、サンプル画像５２１−２に合成されている背景画像５３１−２、サンプル画像５２１−３に合成されている背景画像５３１−３、およびサンプル画像５２１−４に合成されている背景画像５３１−４が、３次元的に重畳しているように表示されている。
【０１７９】
１回目の撮影が終わると、撮影の結果得られたアップ撮影画像は、撮影画面５１１におけるライブビュー画像表示領域５２２の左側に、背景画像５３１−２乃至５３１−４と対称的に表示されるとともに、サンプル画像５２１−１が表示されていた領域にも、サンプル画像５２１−１に代わって、１回目の撮影により得られたアップ撮影画像が表示されるようになる。
【０１８０】
次いで、２回目の撮影が行われるときには、サンプル画像５２１−２が大きく表示されるとともに、ライブビュー画像表示領域５２２には、ライブビュー画像表示領域５２２の右側に表示されていた背景画像５３１−２が移動して、ライブビュー画像（被写体は図示せず）に合成されて表示されるようになる。
【０１８１】
このようにして順次撮影が行われ、６回目の撮影が終わると、撮影処理部３０２は、タッチパネルモニタ９２やスピーカ２３３等を制御して、コラージュ撮影のガイダンスを行った後、ステップＳ５５において、７回目の撮影として、コラージュ撮影を行う。
【０１８２】
コラージュ撮影により、この撮影により得られる被写体の画像を、１回目から６回目の撮影により得られた６枚の撮影画像のうちの所定枚数の撮影画像とともに、所定のデザインを施したデザイン画像上に配置されてなるコラージュ撮影画像が、７枚目の撮影画像として得られる。
【０１８３】
７回目の撮影が終わると、ステップＳ５６において、表示制御部３２１が、目・明るさ選択画面をタッチパネルモニタ９２に表示させ、入力受付部３２２が、利用者からの指示を受け付けることで、目・明るさ選択部３２４は、撮影画像における被写体（利用者）の目の大きさおよび肌の明るさを選択し、１枚目乃至７枚目の撮影画像における被写体の目の大きさおよび肌の明るさを、選択された目の大きさや肌の明るさに変更するように加工する。
【０１８４】
ステップＳ５６の処理が終わって所定時間が経過した後、ＢＧＭ出力部３２５は、スピーカ２３３を介して出力されている、事前接客処理において利用者により選択されたＢＧＭ（楽曲）の出力を停止する。その後、処理は図１３のステップＳ５に戻り、それ以降の処理が行われる。
【０１８５】
このようにして、撮影処理が行われている間、スピーカ２３３からは、事前接客処理において利用者により選択された楽曲がＢＧＭとして出力される。すなわち、事前接客処理において利用者により選択された楽曲が、セット背景等の撮影条件に応じた楽曲である場合には、撮影条件に応じた楽曲がＢＧＭとして出力されるようになる。したがって、この場合、例えば利用者がその日の気分によって選択したセット背景のテーマに合った楽曲がＢＧＭとして撮影空間内に流れるので、利用者は、多くのＢＧＭの選択肢の中から手間をかけて探すことなく選んだ、その時の気分に応じたＢＧＭを聴きながら撮影を楽しむことができる。
【０１８６】
なお、以上においては、ステップＳ５６において、目の大きさおよび肌の明るさが選択されてから所定時間が経過した後に、ＢＧＭの出力が停止されるものとしたが、処理が図１３のステップＳ５に戻った後、ステップＳ６において編集空間への移動案内が行われてから所定時間経過後に、ＢＧＭの出力が停止されるようにしてもよい。
【０１８７】
利用者は、編集空間への移動案内が行われてからすぐに、撮影空間から編集空間へ移動するとは限らないため、編集空間への移動案内が行われてからすぐに、ＢＧＭの出力が停止されてしまうと、利用者に対して不快感や違和感を与えてしまうおそれがある。
【０１８８】
そこで、編集空間への移動案内が行われてから所定時間経過後に、ＢＧＭの出力が停止されるようにすることで、編集空間への移動案内が行われてからすぐに編集空間へ移動しない利用者に対して、不快感や違和感を与えることを避けることができる。
【０１８９】
また、図１８に示されるライブビュー画像表示領域５２２において、ライブビュー画像と合成されて表示される背景画像の中には、上述したように、ライブビュー画像における被写体の背景に合成される画像に加え、被写体の前景に合成されるスタンプ画像やフレーム画像といった前景画像を含むものがある。
【０１９０】
そこで、ライブビュー画像表示領域５２２において表示される背景画像や、その背景画像に含まれる前景画像（スタンプ画像やフレーム画像）の色味やデザイン、形状、配置等を、事前接客処理において選択された楽曲、すなわち、撮影空間において流れているＢＧＭに応じて変えるようにしてもよい。
【０１９１】
例えば、撮影空間において流れているＢＧＭに応じて、背景画像に含まれるスタンプ画像や背景画像自体に、そのＢＧＭの楽曲名や、サビの部分の歌詞を表す文字が表示されるようにしてもよい。
【０１９２】
さらには、撮影空間において流れているＢＧＭに応じて、撮影空間における撮影時間を変更させるようにしてもよい。例えば、撮影空間において流れているＢＧＭがアップテンポな楽曲である場合には、撮影と撮影との間の時間を短縮させ、その分、撮影回数を増やすようにしてもよい。この場合、得られた撮影画像の中から、編集処理の対象となる編集対象画像を利用者に選択させるようにする。
【０１９３】
また、撮影空間において流れているＢＧＭに応じて、撮影空間内において発光させるストロボの数や発光タイミングを変更させるようにしてもよいし、サンプル画像５２１−１乃至５２１−６に表示されるモデル画像のポーズを変更させるようにしてもよい。
【０１９４】
なお、撮影空間において流れているＢＧＭ自体が、適宜アレンジされて出力されるようにしてもよい。例えば、事前接客処理において利用者により選択された撮影条件に応じて、ＢＧＭのテンポ（再生速度も含む）や音量が設定されるようにする。このとき、撮影画面５１１の所定の領域には、そのＢＧＭに対応した映像や、その楽曲のプロモーションビデオ（ミュージックビデオ）が表示されるようにしてもよい。さらには、アレンジされたＢＧＭに応じて、上述したような、背景画像に含まれるスタンプ画像等の色味やデザイン、形状、配置、撮影空間内において発光させるストロボの数や発光タイミング、サンプル画像５２１−１乃至５２１−６に表示されるモデル画像のポーズが変更されるようにしてもよい。
【０１９５】
以上においては、出力される楽曲の再生開始箇所は、そのサビの部分とするようにしたが、楽曲の冒頭であってももちろんよい。
【０１９６】
さらに、出力される楽曲の再生開始箇所を利用者に選択させるようにしてもよい。この場合、撮影画面５１１には、図２０に示されるように、出力される楽曲の再生に関する操作を利用者に行わせるための再生操作領域５４１を設けるようにする。
【０１９７】
再生操作領域５４１において、シークバー５５１上でスライダ５５２が利用者の操作によって移動させられることによって、楽曲の再生開始箇所が設定され、シークバー５５１の右側には、楽曲の再生開始箇所や再生中の時間的位置を表す再生時間５５３が表示される。
【０１９８】
この状態で、再生ボタン５５４が操作されると、楽曲の再生が開始される。楽曲が再生されている最中に、早送りボタン５５５が操作されることで、楽曲が早送り再生され、巻き戻しボタン５５６が操作されることで、楽曲が巻き戻し再生され、停止ボタン５５７が操作されることで、楽曲の再生が停止される。また、音量調整部５５８が操作されることで、再生されている楽曲の音量が調整される。
【０１９９】
このような構成により、利用者は、楽曲の再生開始箇所として、好みの箇所を指定することが可能となる。
【０２００】
なお、楽曲の再生開始箇所を、シークバー５５１上のスライダ５５２の位置で設定する以外にも、イントロ、Ａメロ、Ｂメロ、サビ・・・等のように、楽曲を複数の部分に分け、その再生開始部分を利用者に選択させるようにしてもよい。
【０２０１】
また、編集処理においては、利用者の選択によりシールレイアウトが選択されるものとしたが、選択の対象となる複数のシールレイアウトの少なくともいずれか１つが、事前接客処理において利用者により選択されたＢＧＭに変更されるようにしてもよいし、事前接客処理において、ＢＧＭの選択より前にシールレイアウトを選択させるようにし、その選択されたシールレイアウトに応じて、ＢＧＭの候補である楽曲の少なくともいずれか１つが、変更されるようにしてもよい。
【０２０２】
さらに、上述したように、編集処理においては、利用者に、その利用者が所有する携帯端末のメールアドレスを入力させるようになされているが、このメールアドレス宛に、事前接客処理において選択された楽曲、すなわち、撮影空間において流れたＢＧＭが送信されてくるようにしてもよいし、その楽曲をダウンロードするためのURLが記載されたメールが送信されてくるようにしてもよい。
【０２０３】
この場合、写真シール作成ゲームのプレイ回数に応じたポイントを、利用者毎に付与するようにし、その累積ポイントが所定の値に達したときに、利用者の所有する携帯端末に楽曲が提供されるようにしてもよい。なお、写真シール作成ゲームのプレイ回数やポイントは、携帯端末等から専用のサイトにアクセスすることで確認できるようにする。
【０２０４】
さらに、利用者が所有する携帯端末や携帯型音楽プレーヤと写真シール作成装置１とで、USB（Universal Serial Bus）コネクタを介した通信や、Bluetooth（登録商標）等の無線通信を行わせ、携帯端末や携帯型音楽プレーヤに保存されている楽曲を、ＢＧＭとしての楽曲の候補とするようにしてもよい。
【０２０５】
通常、利用者が所有する携帯端末や携帯型音楽プレーヤには、利用者の好みの楽曲が保存されているので、利用者は、自分の好みの楽曲を、確実に撮影空間に流れるＢＧＭに選択することができ、好みのＢＧＭを聴きながら撮影を楽しむことができる。
【０２０６】
なお、ＢＧＭの選択肢となる楽曲として、例えば、有名なアーティストに、写真シール作成装置１の世界観やコンセプトに合ったオリジナルの楽曲を提供してもらうことで、写真シール作成装置１において、利用者に特別な気持ちで写真シール作成ゲームをプレイしてもらうことができる。
【０２０７】
また、上述した処理においては、事前接客処理において、撮影空間において流れるＢＧＭを選択させるようにしたが、撮影処理において、事前接客空間から撮影空間に移動してきた直後に、ＢＧＭを選択させるようにすることも可能である。
【０２０８】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２０９】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２１０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２１１】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２１２】
また、本発明の実施の形態は、上述した実施の形態に限定されるものではなく、本発明の要旨を逸脱しない範囲において種々の変更が可能である。
【符号の説明】
【０２１３】
１  写真シール作成装置
１１  撮影ユニット
１２  編集ユニット
２１  事前接客部
２２  撮影部
２３  背景部
２０１  制御部
２０８  事前接客部
２０９  撮影部
２１０  編集部
２１１  印刷部
３０１  事前接客処理部
３０２  撮影処理部
３０３  編集処理部
３０４  印刷処理部
３１１  表示制御部
３１２  入力受付部
３１３  撮影条件選択部
３１４  ＢＧＭ選択部
３２１  表示制御部
３２２  入力受付部
３２３  撮影制御部
３２４  目・明るさ選択部
３２５  ＢＧＭ出力部
【図１】
2015121612.tif 000003
【図２】
2015121612.tif 000004
【図３】
2015121612.tif 000005
【図４】
2015121612.tif 000006
【図５】
2015121612.tif 000007
【図６】
2015121612.tif 000008
【図７】
2015121612.tif 000009
【図８】
2015121612.tif 000010
【図９】
2015121612.tif 000011
【図１０】
2015121612.tif 000012
【図１１】
2015121612.tif 000013
【図１２】
2015121612.tif 000014
【図１３】
2015121612.tif 000015
【図１４】
2015121612.tif 000016
【図１５】
2015121612.tif 000017
【図１６】
2015121612.tif 000018
【図１７】
2015121612.tif 000019
【図１８】
2015121612.tif 000020
【図１９】
2015121612.tif 000021
【図２０】
2015121612.tif 000022
【手続補正書】
【提出日】平成26年8月8日(2014.8.8)
【手続補正１】
【補正対象書類名】明細書
【補正対象項目名】０００９
【補正方法】変更
【補正の内容】
【０００９】
本発明の一側面の写真シール作成装置は、撮影空間において利用者を被写体として撮影し、得られた撮影画像に対して利用者に編集入力を行わせ、前記撮影画像を所定のシール紙に印刷する写真シール作成装置であって、撮影に関する撮影条件を選択する選択手段と、複数の楽曲のいずれかを、前記撮影空間において出力される前記楽曲として選択させるための選択画面を表示する表示手段と、前記撮影空間において、前記選択画面に表示される前記複数の楽曲のうち、前記利用者によって選択された楽曲を出力する出力手段とを備え、前記表示手段は、前記選択画面に表示される、前記撮影空間において出力される前記楽曲の候補のうちの少なくとも１つを、選択された前記撮影条件に応じた前記楽曲に変更する。
【手続補正２】
【補正対象書類名】明細書
【補正対象項目名】００１０
【補正方法】削除
【補正の内容】
【手続補正３】
【補正対象書類名】明細書
【補正対象項目名】００１６
【補正方法】変更
【補正の内容】
【００１６】
本発明の一側面の撮影方法は、撮影空間において利用者を被写体として撮影し、得られた撮影画像に対して利用者に編集入力を行わせ、前記撮影画像を所定のシール紙に印刷する写真シール作成装置の撮影方法であって、前記写真シール作成装置が、撮影に関する撮影条件を選択し、複数の楽曲のいずれかを、前記撮影空間において出力される前記楽曲として選択させるための選択画面を表示し、前記撮影空間において、前記選択画面に表示される前記複数の楽曲のうち、前記利用者によって選択された楽曲を出力するステップを含み、前記ステップは、前記選択画面に表示される、前記撮影空間において出力される前記楽曲の候補のうちの少なくとも１つを、選択された前記撮影条件に応じた前記楽曲に変更する。
【手続補正４】
【補正対象書類名】明細書
【補正対象項目名】００１７
【補正方法】変更
【補正の内容】
【００１７】
本発明の一側面のプログラムは、撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、撮影に関する撮影条件を選択する選択ステップと、複数の楽曲のいずれかを、前記撮影空間において出力される前記楽曲として選択させるための選択画面を表示する表示ステップと、前記撮影空間において、前記選択画面に表示される前記複数の楽曲のうち、前記利用者によって選択された楽曲を出力する出力ステップとを含む処理をコンピュータに実行させ、前記表示ステップは、前記選択画面に表示される、前記撮影空間において出力される前記楽曲の候補のうちの少なくとも１つを、選択された前記撮影条件に応じた前記楽曲に変更する。
【手続補正５】
【補正対象書類名】明細書
【補正対象項目名】００１８
【補正方法】変更
【補正の内容】
【００１８】
本発明の一側面においては、撮影に関する撮影条件が選択され、複数の楽曲のいずれかを、撮影空間において出力される楽曲として選択させるための選択画面が表示され、撮影空間において、選択画面に表示される複数の楽曲のうち、利用者によって選択された楽曲が出力される。選択画面に表示される、撮影空間において出力される楽曲の候補のうちの少なくとも１つが、選択された撮影条件に応じた楽曲に変更される。
【手続補正６】
【補正対象書類名】特許請求の範囲
【補正対象項目名】全文
【補正方法】変更
【補正の内容】
【特許請求の範囲】
【請求項１】
撮影空間において利用者を被写体として撮影し、得られた撮影画像に対して利用者に編集入力を行わせ、前記撮影画像を所定のシール紙に印刷する写真シール作成装置であって、
撮影に関する撮影条件を選択する選択手段と、
複数の楽曲のいずれかを、前記撮影空間において出力される前記楽曲として選択させるための選択画面を表示する表示手段と、
前記撮影空間において、前記選択画面に表示される前記複数の楽曲のうち、前記利用者によって選択された楽曲を出力する出力手段と
を備え、
前記表示手段は、前記選択画面に表示される、前記撮影空間において出力される前記楽曲の候補のうちの少なくとも１つを、選択された前記撮影条件に応じた前記楽曲に変更する
写真シール作成装置。
【請求項２】
前記表示手段は、前記選択画面に表示される前記複数の楽曲の全てを、選択された前記撮影条件に応じた前記楽曲に変更する
請求項１に記載の写真シール作成装置。
【請求項３】
前記選択手段は、前記利用者の指示に応じて、前記撮影条件を選択し、
前記表示手段は、前記撮影条件の選択に要した時間に応じて、前記選択画面において前記利用者に前記楽曲を選択させる時間を変更する
請求項１または２に記載の写真シール作成装置。
【請求項４】
前記選択手段は、前記撮影条件として、利用者の指示に応じて、前記撮影画像における被写体の背景に合成させる背景画像を分類するカテゴリ、および、選択された前記カテゴリに分類される前記背景画像のうちの少なくともいずれか１つを選択し、
前記表示手段は、前記選択画面に表示される前記複数の楽曲のうちの少なくとも１つを、選択された前記カテゴリまたは前記背景画像に応じた前記楽曲に変更する
請求項１乃至３のいずれかに記載の写真シール作成装置。
【請求項５】
前記選択手段は、前記撮影条件として、利用者の指示に応じて、前記撮影画像における被写体の背景に合成させる背景画像であって、所定のテーマで統一された複数の前記背景画像を１組のセットとするセット背景を分類するカテゴリ、および、選択された前記カテゴリに分類される前記セット背景のうちの少なくともいずれか１つを選択し、
前記表示手段は、前記選択画面に表示される前記複数の楽曲のうちの少なくとも１つを、選択された前記カテゴリまたは前記セット背景に応じた前記楽曲に変更する
請求項１乃至３のいずれかに記載の写真シール作成装置。
【請求項６】
前記表示手段は、前記選択画面に表示される前記複数の楽曲のうちの少なくとも１つを、選択された前記撮影条件と、撮影日とに応じた前記楽曲に変更する
請求項１に記載の写真シール作成装置。
【請求項７】
撮影空間において利用者を被写体として撮影し、得られた撮影画像に対して利用者に編集入力を行わせ、前記撮影画像を所定のシール紙に印刷する写真シール作成装置の撮影方法であって、
前記写真シール作成装置が、
撮影に関する撮影条件を選択し、
複数の楽曲のいずれかを、前記撮影空間において出力される前記楽曲として選択させるための選択画面を表示し、
前記撮影空間において、前記選択画面に表示される前記複数の楽曲のうち、前記利用者によって選択された楽曲を出力する
ステップを含み、
前記ステップは、前記選択画面に表示される、前記撮影空間において出力される前記楽曲の候補のうちの少なくとも１つを、選択された前記撮影条件に応じた前記楽曲に変更する
撮影方法。
【請求項８】
撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、
撮影に関する撮影条件を選択する選択ステップと、
複数の楽曲のいずれかを、前記撮影空間において出力される前記楽曲として選択させるための選択画面を表示する表示ステップと、
前記撮影空間において、前記選択画面に表示される前記複数の楽曲のうち、前記利用者によって選択された楽曲を出力する出力ステップと
を含む処理をコンピュータに実行させ、
前記表示ステップは、前記選択画面に表示される、前記撮影空間において出力される前記楽曲の候補のうちの少なくとも１つを、選択された前記撮影条件に応じた前記楽曲に変更する
プログラム。
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
撮影空間において利用者を被写体として撮影し、得られた撮影画像に対して利用者に編集入力を行わせ、前記撮影画像を所定のシール紙に印刷する写真シール作成装置であって、
撮影に関する撮影条件を選択する選択手段と、
複数の楽曲のいずれかを、前記撮影空間において出力される前記楽曲として選択させるための選択画面を表示する表示手段と、
前記撮影空間において、前記選択画面に表示される前記複数の楽曲のうち、前記利用者によって選択された楽曲を出力する出力手段と
を備え、
前記表示手段は、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない
写真シール作成装置。
【請求項２】
前記選択手段は、前記利用者の指示に応じて、前記撮影条件を選択し、
前記表示手段は、前記撮影条件の選択に要した時間に応じて、前記選択画面において前記利用者に前記楽曲を選択させる時間を変更する
請求項１に記載の写真シール作成装置。
【請求項３】
前記選択手段は、前記撮影条件として、利用者の指示に応じて、前記撮影画像における被写体の背景に合成させる背景画像を分類するカテゴリ、および、選択された前記カテゴリに分類される前記背景画像のうちの少なくともいずれか１つを選択し、
前記表示手段は、前記選択画面に表示される前記複数の楽曲のうちのいずれか１つまたは複数を、選択された前記カテゴリまたは前記背景画像に応じた前記楽曲に変更する
請求項１または２に記載の写真シール作成装置。
【請求項４】
前記選択手段は、前記撮影条件として、利用者の指示に応じて、前記撮影画像における被写体の背景に合成させる背景画像であって、所定のテーマで統一された複数の前記背景画像を１組のセットとするセット背景を分類するカテゴリ、および、選択された前記カテゴリに分類される前記セット背景のうちの少なくともいずれか１つを選択し、
前記表示手段は、前記選択画面に表示される前記複数の楽曲のうちのいずれか１つまたは複数を、選択された前記カテゴリまたは前記セット背景に応じた前記楽曲に変更する
請求項１または２に記載の写真シール作成装置。
【請求項５】
前記表示手段は、前記選択画面に表示される前記複数の楽曲のうちのいずれか１つまたは複数を、選択された前記撮影条件と、撮影日とに応じた前記楽曲に変更する
請求項１に記載の写真シール作成装置。
【請求項６】
撮影空間において利用者を被写体として撮影し、得られた撮影画像に対して利用者に編集入力を行わせ、前記撮影画像を所定のシール紙に印刷する写真シール作成装置の撮影方法であって、
前記写真シール作成装置が、
撮影に関する撮影条件を選択し、
複数の楽曲のいずれかを、前記撮影空間において出力される前記楽曲として選択させるための選択画面を表示し、
前記撮影空間において、前記選択画面に表示される前記複数の楽曲のうち、前記利用者によって選択された楽曲を出力する
ステップを含み、
前記ステップは、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない
撮影方法。
【請求項７】
撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、
撮影に関する撮影条件を選択する選択ステップと、
複数の楽曲のいずれかを、前記撮影空間において出力される前記楽曲として選択させるための選択画面を表示する表示ステップと、
前記撮影空間において、前記選択画面に表示される前記複数の楽曲のうち、前記利用者によって選択された楽曲を出力する出力ステップと
を含む処理をコンピュータに実行させ、
前記表示ステップは、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない
プログラム。
【手続補正２】
【補正対象書類名】明細書
【補正対象項目名】０００９
【補正方法】変更
【補正の内容】
【０００９】
本発明の一側面の写真シール作成装置は、撮影空間において利用者を被写体として撮影し、得られた撮影画像に対して利用者に編集入力を行わせ、前記撮影画像を所定のシール紙に印刷する写真シール作成装置であって、撮影に関する撮影条件を選択する選択手段と、複数の楽曲のいずれかを、前記撮影空間において出力される前記楽曲として選択させるための選択画面を表示する表示手段と、前記撮影空間において、前記選択画面に表示される前記複数の楽曲のうち、前記利用者によって選択された楽曲を出力する出力手段とを備え、前記表示手段は、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
前記選択手段には、前記撮影条件として、利用者の指示に応じて、前記撮影画像における被写体の背景に合成させる背景画像を分類するカテゴリ、および、選択された前記カテゴリに分類される前記背景画像のうちの少なくともいずれか１つを選択させ、前記表示手段には、前記選択画面に表示される前記複数の楽曲のうちのいずれか１つまたは複数を、選択された前記カテゴリまたは前記背景画像に応じた前記楽曲に変更させることができる。
【手続補正５】
【補正対象書類名】明細書
【補正対象項目名】００１４
【補正方法】変更
【補正の内容】
【００１４】
前記選択手段には、前記撮影条件として、利用者の指示に応じて、前記撮影画像における被写体の背景に合成させる背景画像であって、所定のテーマで統一された複数の前記背景画像を１組のセットとするセット背景を分類するカテゴリ、および、選択された前記カテゴリに分類される前記セット背景のうちの少なくともいずれか１つを選択させ、前記表示手段には、前記選択画面に表示される前記複数の楽曲のうちのいずれか１つまたは複数を、選択された前記カテゴリまたは前記セット背景に応じた前記楽曲に変更させることができる。
【手続補正６】
【補正対象書類名】明細書
【補正対象項目名】００１５
【補正方法】変更
【補正の内容】
【００１５】
前記表示手段には、前記選択画面に表示される前記複数の楽曲のうちのいずれか１つまたは複数を、選択された前記撮影条件と、撮影日とに応じた前記楽曲に変更させることができる。
【手続補正７】
【補正対象書類名】明細書
【補正対象項目名】００１６
【補正方法】変更
【補正の内容】
【００１６】
本発明の一側面の撮影方法は、撮影空間において利用者を被写体として撮影し、得られた撮影画像に対して利用者に編集入力を行わせ、前記撮影画像を所定のシール紙に印刷する写真シール作成装置の撮影方法であって、前記写真シール作成装置が、撮影に関する撮影条件を選択し、複数の楽曲のいずれかを、前記撮影空間において出力される前記楽曲として選択させるための選択画面を表示し、前記撮影空間において、前記選択画面に表示される前記複数の楽曲のうち、前記利用者によって選択された楽曲を出力するステップを含み、前記ステップは、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない。
【手続補正８】
【補正対象書類名】明細書
【補正対象項目名】００１７
【補正方法】変更
【補正の内容】
【００１７】
本発明の一側面のプログラムは、撮影空間において利用者を被写体として撮影し、得られた撮影画像に対して利用者に編集入力を行わせ、前記撮影画像を所定のシール紙に印刷する写真シール作成装置を制御する処理をコンピュータに実行させるプログラムであって、撮影に関する撮影条件を選択する選択ステップと、複数の楽曲のいずれかを、前記撮影空間において出力される前記楽曲として選択させるための選択画面を表示する表示ステップと、前記撮影空間において、前記選択画面に表示される前記複数の楽曲のうち、前記利用者によって選択された楽曲を出力する出力ステップとを含む処理をコンピュータに実行させ、前記表示ステップは、前記選択画面に表示される、前記撮影空間において出力される前記楽曲の候補のうちのいずれか１つまたは複数を、選択された前記撮影条件に応じた前記楽曲に変更し、他の前記楽曲の候補を、選択された前記撮影条件に応じた前記楽曲に変更しない。
【手続補正９】
【補正対象書類名】明細書
【補正対象項目名】００１８
【補正方法】変更
【補正の内容】
【００１８】
本発明の一側面においては、撮影に関する撮影条件が選択され、複数の楽曲のいずれかを、撮影空間において出力される楽曲として選択させるための選択画面が表示され、撮影空間において、選択画面に表示される複数の楽曲のうち、利用者によって選択された楽曲が出力される。選択画面に表示される、撮影空間において出力される楽曲の候補のうちのいずれか１つまたは複数が、選択された撮影条件に応じた楽曲に変更され、他の楽曲の候補は、選択された撮影条件に応じた楽曲に変更されない。